(57)【要約】      （修正有）【課題】一般呼びと専用呼びを車椅子検出装置等を設置することなく、共通の１個の押釦スイッチで識別登録することができるエレベータ運転装置を提供する。【解決手段】  車椅子利用者や身体障害者等による専用呼びと一般利用者による一般呼びとを識別して登録し、それぞれの呼びに対応してエレベータを運転するようにしたエレベータ運転装置において、階床乗場またはかご内にアップ、ダウン用呼び釦を各１個配設すると共に、上記呼び釦に対して呼び登録が行なわれた後、所定時間以内に再度の呼び登録が行なわれたかどうかを確認し、再度の呼び登録が行なわれた場合には専用呼びまたは一般呼びと認識し、再度の呼び登録が行なわれなかった場合には一般呼びまたは専用呼びと認識して識別登録する判定手段を備えた構成とする。【選択図】図４
2006143451.tif 000002
【特許請求の範囲】
【請求項１】
車椅子利用者や身体障害者等による専用呼びと一般利用者による一般呼びとを識別して登録し、それぞれの呼びに対応してエレベータを運転するようにしたエレベータ運転装置において、階床乗場またはかご内にアップ、ダウン用呼び釦を各１個配設すると共に、上記呼び釦に対して呼び登録が行なわれた後、所定時間以内に再度の呼び登録が行なわれたかどうかを確認し、再度の呼び登録が行なわれた場合には専用呼びまたは一般呼びと認識し、再度の呼び登録が行なわれなかった場合には一般呼びまたは専用呼びと認識して識別登録する判定手段を備えたことを特徴とするエレベータ運転装置。
【請求項２】
上記所定時間は、固定時間または運転状況に応じて調整可能な時間として設定されることを特徴とする請求項１記載のエレベータ運転装置。
【請求項３】
上記呼び釦に呼び登録が行なわれた時は、身体障害者等または一般利用者は再度呼び釦を押し、一般利用者または身体障害者等はそのまま待つ旨のアナウンスを行なうことを特徴とする請求項１または請求項２記載のエレベータ運転装置。
【請求項４】
上記呼び釦に呼び登録が行なわれた時は、上記呼び釦内に設けられた登録灯をフリッカさせ、所定時間経過後に呼びの種類が識別された時は上記登録灯のフリッカを点灯に変えるようにされたことを特徴とする請求項１〜請求項３のいずれか１項記載のエレベータ運転装置。
【請求項５】
上記登録灯の周囲にLEDを組み込み、一般呼びの場合は上記登録灯を点灯させ、専用呼びの場合は上記LEDを点灯させるようにしたことを特徴とする請求項４記載のエレベータ運転装置。
【請求項６】
上記登録灯とLEDとは異なる点灯色とされたことを特徴とする請求項５記載のエレベータ運転装置。
【請求項７】
呼びの識別登録後、登録内容に対応したアナウンスを行なうことを特徴とする請求項１〜請求項６のいずれか１項記載のエレベータ運転装置。
【請求項８】
呼びの識別登録後、呼び釦を２回押すことにより呼び登録が解除されることを特徴とする請求項１〜請求項７のいずれか１項記載のエレベータ運転装置。
【請求項９】
呼び登録が解除された時は、登録灯またはLEDが消灯すると共に、登録解除のアナウンスを行なうことを特徴とする請求項８記載のエレベータ運転装置。
【請求項１０】
一般呼びが登録されている場合において、呼び釦が１回押されると一般呼びを専用呼びに切り換えて登録する切換登録手段を設けたことを特徴とする請求項１〜請求項９のいずれか１項記載のエレベータ運転装置。
【請求項１１】
エレベータの監視盤に一般呼びまたは専用呼びを無効にするスイッチを設け、上記呼び釦を専用呼びのみまたは一般呼び専用として利用し得るようにしたことを特徴とする請求項１〜請求項１０のいずれか１項記載のエレベータ運転装置。
【請求項１２】
上記スイッチにより一般呼びまたは専用呼びが無効とされた場合には、上記切換登録手段は無効とされることを特徴とする請求項１１記載のエレベータ運転装置。
【発明の詳細な説明】
【技術分野】
【０００１】
この発明は、エレベータ運転装置、特に車椅子利用者や身体障害者等による専用呼びと一般利用者による一般呼びとを共通の操作釦によって識別登録することができるエレベータ運転装置に関するものである。
【背景技術】
【０００２】
通常、車椅子利用者や身体障害者等が利用する車椅子仕様エレベータにおいては、車椅子利用者の乗降の際、一般の利用者に比べて多少乗降時間を多く必要とするため、扉開放時間を一般の利用者の場合よりも長く設定している。
【０００３】
このため、車椅子利用者等による専用呼びと一般利用者による一般呼びとを識別して登録する必要があるため、各階床乗場やかご内に専用呼び用の押釦スイッチと一般呼び用の押釦スイッチを別々に設けたり、１個の押釦スイッチで共用する場合には、別途、車椅子検出装置を設置し、車椅子検出装置が動作した場合の呼びは専用呼びと認識し、車椅子検出装置が動作しない場合の呼びは一般呼びと認識するようにしていた（例えば特許文献１参照）。
【０００４】
【特許文献１】特開平１０−３３００５２号公報（段落０００２−００１５）
【発明の開示】
【発明が解決しようとする課題】
【０００５】
従来のエレベータ運転装置は以上のように構成されているため、専用呼び用の押釦スイッチと一般呼び用の押釦スイッチを別々に設けている場合、一般利用者が間違って専用呼び用押釦スイッチを押した場合には、扉開放時間が延長されるため、エレベータの運転効率が悪化するという問題点があった。
【０００６】
また、１個の押釦スイッチで共用する場合には、車椅子検出装置の動作の有無によって専用呼びかどうかの識別が行なわれるため、車椅子以外の専用呼び運転、例えばVIP用としての呼び運転などに広く応用することができないなどの問題点があった。
【０００７】
更に、エレベータ利用者へのアナウンスやサービス向上手段がなかったため、呼びの登録状況が判断しづらく、利用者に不安を与える可能性があるなどの問題点もあった。
【０００８】
この発明は、上記のような問題点を解消するためになされたもので、専用呼びと一般呼びを車椅子検出装置等を設置することなく、共通の１個の押釦スイッチ（アップ、ダウン用呼び釦各１個）で識別登録することができ、専用呼びを車椅子以外の呼びにも応用することができ、呼びの登録状況を認識しやすいエレベータ運転装置を提供することを目的とする。
【課題を解決するための手段】
【０００９】
この発明に係るエレベータ運転装置は、車椅子利用者や身体障害者等による専用呼びと一般利用者による一般呼びとを識別して登録し、それぞれの呼びに対応してエレベータを運転するようにしたエレベータ運転装置において、階床乗場またはかご内にアップ、ダウン用呼び釦を各１個配設すると共に、上記呼び釦に対して呼び登録が行なわれた後、所定時間以内に再度の呼び登録が行なわれたかどうかを確認し、再度の呼び登録が行なわれた場合には専用呼びまたは一般呼びと認識し、再度の呼び登録が行なわれなかった場合には一般呼びまたは専用呼びと認識して識別登録する判定手段を備えたものである。
【発明の効果】
【００１０】
この発明に係るエレベータ運転装置は上記のように構成され、専用呼びと一般呼びとを１つの押釦スイッチで識別登録することができ、しかも車椅子検出装置を必要としないため、簡単な構成で信頼性の高い装置を安価に提供することができる。
【００１１】
また、一般呼び、専用呼びの登録時に、それに対応したアナウンスを行なうことにより、呼びの登録状況が分かり易くなる他、一般利用者が故意に専用呼びを選択する等のいたずら呼びもなくなる。また、一般呼びと専用呼びが点灯手段によって容易に確認でき、更に一般呼びと専用呼びとの切り換え登録や登録解除が容易であるため、利用者が安心してエレベータを使用することができる。
【００１２】
更に、呼び釦内またはその近傍に設けられた登録灯の周囲にLEDを組み込み、このLEDに専用呼び表示機能を持たせたため、従来、階床乗場に単体で設置していた大きい専用呼び表示灯をなくすことができる。
【発明を実施するための最良の形態】
【００１３】
実施の形態１．
以下、この発明の実施の形態１を図にもとづいて説明する。図１は、階床乗場における正面レイアウトを示すものであり、一般用号機と車椅子用号機の２台のエレベータを設置した群管理方式を例示している。図２は、２台のエレベータ間に設けられた階床乗場釦の構成を示す拡大概略図である。
【００１４】
図１において、エレベータは一般用号機としての１号機１と車椅子用号機としての２号機２とから構成され、その中間部に一般呼び、専用呼びに共通の階床乗場釦３が設けられている。
【００１５】
図２は、階床乗場釦３の詳細構成を示すもので、アップ釦４と、その内部に設けられアップ釦４の登録時にフリッカあるいは点灯するアップ釦登録灯５と、アップ釦登録灯５の周囲にLEDを組み込んで構成され、専用呼びの登録時に点灯するアップ専用釦登録灯６とでアップ用押釦装置が構成され、ダウン釦７と、その内部に設けられダウン釦７の登録時にフリッカあるいは点灯するダウン釦登録灯８と、ダウン釦登録灯８の周囲にLEDを組み込んで構成され、専用呼びの登録時に点灯するダウン専用釦登録灯９とでダウン用押釦装置が構成されている。
【００１６】
次に、実施の形態１におけるアップ釦の呼び登録動作について図４に示すフローチャートにもとづいて説明する。なお、ダウン釦の呼び登録動作についてはアップ釦と同様であるため説明を省略する。
【００１７】
先ず、ステップＳ１で利用者が階床乗場に設置された一般、専用呼び共通のアップ釦４を押して呼び登録したかどうかをチェックする。呼び登録された場合には、ステップＳ２でアップ釦登録灯５をフリッカする。これと同時にアップ釦４の呼び登録を利用者に知らせるためステップＳ３でアナウンスを行なう。アナウンスは例えば次のような内容で行なわれる。「車椅子利用者の方は、もう一度釦を押して下さい。一般利用者の方は、そのままお待ち下さい。」
【００１８】
次に、ステップＳ４でアップ釦登録灯５のフリッカ開始から所定時間以内、例えばＸ秒以内にアップ釦４が再度押されて呼びが再登録されたかどうかをチェックする。
アップ釦４がＸ秒以内に再度押された場合にはステップＳ５で専用呼びとして登録する。なお、Ｘ秒の設定については、エレベータ制御装置のパラメータにより適宜の時間を固定的に設定あるいは自由に変更ができるようにされている。また、エレベータの混雑状況、サービス状況に応じてリアルタイムで適宜の時間へ自動調整ができるようにすることもできる。
【００１９】
ステップＳ５で専用呼びが登録されると、ステップＳ６でアップ釦登録灯５のフリッカが点灯に変わり、ステップＳ７でアップ専用釦登録灯６が点灯する。
アップ釦登録灯５は例えば橙色の点灯色とし、アップ専用釦登録灯６は青色の点灯色とする。アップ釦登録灯５とアップ専用釦登録灯６とで点灯色を変えるのは、車椅子利用者が専用呼びが登録されたことを容易に識別、判断することができるようにするためである。
【００２０】
アップ専用釦登録灯６の点灯と同時に登録状況及びエレベータのサービス状況を利用者に知らせるためステップＳ８でアナウンスを行なう。アナウンスは例えば次のような内容で行なわれる。「ただ今、上方向の車椅子専用呼びの登録を受付けしました。向かって右側の車椅子専用エレベータが到着します。もうしばらくお待ち下さい。」
【００２１】
ステップＳ４でアップ釦４がＸ秒以内に再度押されなかった場合には、ステップＳ９で一般呼びとして登録する。なお、一般呼び、専用呼びの判定はビルの使用状況、顧客要求により変更することが可能で、例えばアップ釦登録灯５のフリッカ開始後、Ｘ秒以内にアップ釦４が再度押された場合を一般呼びとして登録し、Ｘ秒以内にアップ釦４が再度押されなかった場合を専用呼びとして登録することもできる。
【００２２】
ステップＳ９で一般呼びが登録されると、ステップＳ１０でアップ釦登録灯５のフリッカが点灯に変わる。この時、アップ専用釦登録灯６は点灯しない。
また、アップ釦登録灯５の点灯と同時に登録状況を利用者に知らせるためステップＳ１１でアナウンスを行なう。アナウンスは例えば次のような内容で行なわれる。
「ただ今、上方向の呼び登録を受付けしました。しばらくお待ち下さい。」
【００２３】
車椅子利用者が専用呼びを登録しようとする時、一般呼びが既に登録されている場合、例えばステップＳ９〜Ｓ１１により、上方向の一般呼びが既に登録されている場合には、もう１回アップ釦４を押すことによって一般呼びを専用呼びの登録に切り換えることができる。このため、ステップＳ１２で一般呼びの登録後、アップ釦４がもう１回押されたかどうかをチェックする。押された場合にはステップＳ１３で一般呼びの登録を専用呼びの登録へ切り換える。
【００２４】
この実施の形態では１号機１及び２号機２からなる２台のエレベータをマルチカー運転しているため、ステップＳ１４で既存の一般呼びは１号機１へ割り当て、専用呼びは２号機２へ新規割り当てし、ステップＳ１５で１号機１は一般用運転、２号機２は車椅子用運転として運転分割を実施する。
このような切り換えによる運転分割を実施することにより、車椅子専用呼びだけでなく、VIPなどの他の専用呼びにも広く適用することが可能となる。
【００２５】
また、一旦登録されたアップ呼びをキャンセルする必要が生じた場合には、アップ釦４をもう２回連続して押すことによってキャンセルすることができる。
このため、ステップＳ１６でアップ呼び登録後、アップ釦４がもう２回連続して押されたかどうかをチェックする。２回連続して押された場合には、ステップＳ１７で呼びをキャンセルし、アップ釦登録灯５及びアップ専用釦登録灯６が点灯している場合にはステップＳ１８で消灯する。
【００２６】
更に、ステップＳ１９で呼びがキャンセルされたことをアナウンスする。
アナウンスは例えば次のような内容で行なわれる。
「ただ今、呼びの登録を解除しました。」
【００２７】
その後、一般呼びが登録され、１号機１あるいは２号機２のいずれかのかごが登録階に到着するとステップＳ２０で一般利用者用運転を行ない、また、車椅子専用呼びが登録され、２号機２の車椅子専用かごが登録階に到着するとステップＳ２０で車椅子専用運転を行なう。
【００２８】
実施の形態２．
次に、この発明の実施の形態２を図にもとづいて説明する。図３は、実施の形態２において、エレベータの監視盤に付加する形で設置する一般呼び専用呼び無効スイッチの構成を示す概略図である。エレベータの基本的な構成及び階床乗場における乗場釦の構成は実施の形態１と同様であるため図示及び説明を省略する。
【００２９】
図３に示す一般呼び専用呼び無効スイッチ１０はOFF位置１１、一般呼び無効位置１２及び専用呼び無効位置１３を切り換える３点式切換スイッチで、OFF、一般呼び無効及び専用呼び無効に対応した信号が同時にONすることがないようにされている。
【００３０】
以下、このような一般呼び専用呼び無効スイッチ１０を監視盤に付加した装置の動作を図５に示すフローチャートにもとづいて説明する。図５のフローチャートは図４に示す実施の形態１のフローチャートにステップＳ２１〜ステップＳ２７を付加したものである。
【００３１】
ステップＳ２１で監視盤に一般呼び専用呼び無効スイッチ１０が設置されているかどうかをチェックする。設置されていない場合は、ステップＳ１に移行し、図４に示した実施の形態１のフローチャートに従って動作する。設置されている場合は、ステップＳ２２でスイッチの位置がOFF位置１１であるかどうかをチェックする。
【００３２】
OFF位置１１の場合には、ステップＳ１に移行し、OFF位置１１でない場合は、ステップＳ２３で一般呼び無効位置１２かどうかをチェックする。一般呼び無効位置１２である場合には、ステップＳ２４によってステップＳ１〜Ｓ２０のうちの一般呼びの登録が無効とされるため、図２に示す階床乗場釦３のうち、アップ釦４及びダウン釦７は一時的に専用呼びの釦として機能し、これらの釦によって専用呼びが登録された場合には専用釦登録灯６あるいは９は点灯することになる。
【００３３】
また、ステップＳ２３においてスイッチの位置が専用呼び無効位置１３の場合には、ステップＳ２５及びＳ２６によってステップＳ１〜Ｓ２０のうちの専用呼びの登録が無効とされるため、図２に示す階床乗場釦３のうち、アップ釦４及びダウン釦７は一時的に一般呼びの釦として機能する。また、それらに対応して一般呼び、専用呼びの判定やアナウンスはステップＳ２７によって、いずれか一方の機能が無効となり、他方の機能のみで動作することになる。
【図面の簡単な説明】
【００３４】
【図１】この発明の実施の形態１における階床乗場のレイアウトを示す正面図である。
【図２】図１の乗場における階床乗場釦の構成を示す拡大概略図である。
【図３】この発明の実施の形態２における一般呼び専用呼び無効スイッチの構成を示す概略図である。
【図４】実施の形態１の動作説明用のフローチャートである。
【図５】実施の形態２の動作説明用のフローチャートである。
【符号の説明】
【００３５】
１  １号機、  ２  ２号機、  ３  階床乗場釦、  ４  アップ釦、  ５  アップ釦登録灯、  ６  アップ専用釦登録灯、  ７  ダウン釦、  ８  ダウン釦登録灯、  ９  ダウン専用釦登録灯、  １０  一般呼び専用呼び無効スイッチ、  １１  OFF位置、  １２  一般呼び無効位置、  １３  専用呼び無効位置。
【図１】
2006143451.tif 000003
【図２】
2006143451.tif 000004
【図３】
2006143451.tif 000005
【図４】
2006143451.tif 000006
【図５】
2006143451.tif 000007